(57)【特許請求の範囲】
【請求項１】
側面略Ｌ字形に形成され、その下方部を二股状に形成していると共に該二股状の先端部を支持基盤の両側部に枢着することで後傾可能に支持された第１背フレームと、前縁部が支持基盤上に前後方向に移動可能に枢着され、後縁部が第１背フレームの下方端付近であってそれよりも後方部位に枢着された座板支持板と、第１背フレームの上方端に上下方向のスライドが許容されるように枢着された胸郭部支持部材と、第１背フレームよりも短い側面略Ｌ字形に形成され、その下方端を支持基盤の後方突出部に枢着することで前記第１背フレームの二股状の間において起立し該第１背フレームとは独立して後傾可能に支持された第２背フレームと、第２背フレームが起立状態であるときに前記座板支持板の上方部位にて前方に張り出すように該第２背フレームの上部前面に設けられた腰部支持部材とからなり、第２背フレームの上部と胸郭部支持部材の下部とを連結軸を介して連結し、前記支持基盤と座板支持板との間に該座板支持板を前方に移動させることに連動して第１背フレームを起立させるように付勢する第１付勢手段を設け、さらに前記支持基盤の後方突出部と第２背フレームとの間に該第２背フレームを起立させるように付勢する第２付勢手段を設けてなることを特徴とした椅子。
【請求項２】
第２背フレームを起立状態に固定するロック機構を設けたことを特徴とする請求項１に記載した椅子。
【発明の詳細な説明】
【技術分野】
【０００１】
本発明は、主として遊技場に設置される椅子の構造に関するものである。
【背景技術】
【０００２】
例えばパチンコ遊技場に設置される椅子では、下記特許文献１に示されたように、椅子全体を前後にスライド可能に支持すると共に、コイルバネにより前方に付勢することで非使用時にその後ろ側通路ができるだけ広く確保されるように構成されたものが従来から知られている。
また、下記特許文献２に示された椅子の背もたれ構造は、図８に示したように、背フレームａが座板基部ｂに設けられた支軸ｊを支点として後方に傾動可能に支持され、該背フレームの上方部に背板の下部ｃを固定すると共に、該背フレームに連結点ｄを設け上方に伸びる制御リンクｅの下端部を該連結点ｄに枢着し、背板の上部ｆは下部ｃに対して前後方向に屈折可能とし、該上部ｆを制御リンクｅの上端部に連結手段ｇにより連結し、背フレームａと制御リンクｅとの間の距離を変化させるアジャストスクリューのような変位手段ｈを設けてなるものであった。
【特許文献１】特開２００４−１８０７８３号公報
【特許文献２】特開２００４−４３４号公報
【特許文献３】特開平１０−１７９３１４号公報
【特許文献４】特表平９−５０３１４４号公報
【発明の開示】
【発明が解決しようとする課題】
【０００３】
ところで、上記特許文献２に示された椅子の背もたれ構造は、その構造上、背フレームａの傾斜角度を調節すると背板の下部ｃと上部ｆとがいっしょに前後方向に動くものであるので、遊技場に設置した場合に該背板を後傾する遊技者が居ると後ろ側通路に大きくはみ出して通行の邪魔になり易いという問題があった。また、下部ｃだけを位置調節したい場合に上部ｆの位置を上記変位手段ｈによって再調整する必要が生じると共に、上部ｆをそのままとし下部ｃだけを位置調節したいという要望には応じられず、好みの状態に調整するのが難しく手間も掛かるので、使い勝手が悪いという問題がある。
また、上記特許文献３に示された椅子についても構造上特許文献２に示された椅子と同様の問題がある。
一方、特許文献４には、柔軟に形成された背面板を上方の胸郭部と下方の腰部とに分割し、夫々を独立して支持装置により座板部に支持した背部分割型椅子が示されているが、この背部分割型椅子では、特許文献４中の図５に示されたように、座板部を後傾させると上方の胸郭部と下方の腰部とが共に後傾する構造であったので、やはり後ろ側通路に大きくはみ出し易いという問題がある。
【０００４】
また、長時間遊技している遊技者には、時折は背を大きく後ろに反らして背伸びしたいという要望があったが、従来の椅子では上記のような事情でその要望に対し十分に応じることができなかった。
【課題を解決するための手段】
【０００５】
本発明に係る椅子は上記課題を解決しようとするもので、側面略Ｌ字形に形成され、その下方部を二股状に形成していると共に該二股状の先端部を支持基盤の両側部に枢着することで後傾可能に支持された第１背フレームと、前縁部が支持基盤上に前後方向に移動可能に枢着され、後縁部が第１背フレームの下方端付近であってそれよりも後方部位に枢着された座板支持板と、第１背フレームの上方端に上下方向のスライドが許容されるように枢着された胸郭部支持部材と、第１背フレームよりも短い側面略Ｌ字形に形成され、その下方端を支持基盤の後方突出部に枢着することで前記第１背フレームの二股状の間において起立し該第１背フレームとは独立して後傾可能に支持された第２背フレームと、第２背フレームが起立状態であるときに前記座板支持板の上方部位にて前方に張り出すように該第２背フレームの上部前面に設けられた腰部支持部材とからなり、第２背フレームの上部と胸郭部支持部材の下部とを連結軸を介して連結し、前記支持基盤と座板支持板との間に該座板支持板を前方に移動させることに連動して第１背フレームを起立させるように付勢する第１付勢手段を設け、さらに前記支持基盤の後方突出部と第２背フレームとの間に該第２背フレームを起立させるように付勢する第２付勢手段を設けてなることを特徴とする。
また本発明は上記椅子において、第２背フレームを起立状態に固定するロック機構を設けたことを特徴とする。
【発明の効果】
【０００６】
使用者がリラックスできると共に、遊技場に設置した場合でも背フレームが後ろ側通路に大きく出っ張ることなく通行の妨げになり難い。また、簡単に好みの状態に設定することができ、使い勝手がよい。
【発明を実施するための最良の形態】
【０００７】
図１は本発明に係る椅子の斜視図、図２はその要部の縦断面側面図、図３は図２のX−X線断面図である。この実施形態に示した椅子は、伸縮可能なるように内部にガススプリングが設けられた支柱１の上端部にスライド機構２を設け、該スライド機構上に支持基盤３を固設している。このスライド機構２は、上記特許文献１に示された構造であり、該スライド機構２により支持基盤３が前後にスライド可能に支持され、椅子全体を前後にスライドさせる。また、該スライド機構内に設けられたコイルバネにより該支持基盤３が前方に付勢されることから、非使用時に該コイルバネの弾性により椅子全体が前方にスライドし、これによって後ろ側通路が常には広くに確保されるようにしている。
【０００８】
図４にも示したように、第１背フレーム１０は、側面略Ｌ字形に形成され、下方部は二股状に形成されている。そして、第１背フレーム１０の下方端部内にビス１０ｃにより軸支金具１０ａを固着し、該軸支金具１０ａに形成された軸受孔１０ｂに支持基盤３の両側部に突設された支軸１１を貫挿することにより、該第１背フレーム１０は該支軸１１を支点として後傾可能に支持される。なお、この第１背フレーム１０の傾動角度を制限するため、支持基盤３の両側部に突設された小突起１２を軸支金具１０ａに形成された円弧状孔１３に遊嵌している。このため、第１背フレーム１０は図３に示した垂直起立状態から図５，図６に示したように後方に約１２度だけ傾斜し得るようにしている。
【０００９】
１５は座板、１６は該座板の裏面に固着された座板支持板である。該座板支持板１６は、図３にも示されるように、前縁部に支軸１７が貫挿され、該支軸１７を前記支持基盤３の前縁部両側に形成された前後方向に長い小長孔４に遊嵌することにより該座板支持板１６を前後方向に移動可能に支持すると共に該支持基盤３上に該支軸１７を前方に弾性的に押圧する第１付勢手段を設けている。即ち、該支持基盤３上にバネ座５を固着し、該バネ座５にコイル状のバネ６の一端を固定すると共に、該バネの他端を連結体７を介して支軸１７に連結し、該バネを圧縮状態にすることにより支軸１７が前方に弾性的に押圧されるようにしている。また、座板支持板１６の後縁部に支軸１８を貫挿し、該支軸１８を前記軸支金具１０ａに形成された軸受孔１０ｄに貫挿することで、第１背フレーム１０の下方端付近であってそれよりも後方部位にて該第１背フレーム１０を該支軸１８によって支持している。このため、バネ６の付勢により座板支持板１６が前方に移動すると、その移動に連動して第１背フレーム１０が起立し得る。つまりバネ６からなる第１付勢手段を設けたことにより、座板支持板１６が前方に移動することに連動して第１背フレーム１０が起立するようにしている。
【００１０】
２０は胸郭部支持部材で、前記第１背フレーム１０の上方端に前面に突設された一対の耳片２１に上下方向に長い長孔２２を形成すると共に、該胸郭部支持部材２０の上端部背面に軸受片２３を突設し、該軸受片に支持された支軸２４を該長孔２２に遊嵌することにより、該胸郭部支持部材２０を第１背フレーム１０の上部前面に上下方向のスライドが許容されるように装着している。
【００１１】
また、第２背フレーム２５は前記第１背フレーム１０よりも短い側面略Ｌ字形に形成され、該第２背フレームの下方端を支持基盤３の後方突出部８に貫挿した支軸２６に枢着することで、該第２背フレーム２５を第１背フレーム１０の二股状の間において起立し該第１背フレームとは独立して後傾可能なるように支持している。また、第２背フレーム２５を起立させるように付勢する第２付勢手段を設けている。即ち、
支持基盤３の後方突出部８の突端部に支軸２７を貫挿し、該支軸２７にバネ座２８を支持し、該バネ座２８にコイル状のバネ２９の一端を固定すると共に、該バネの他端を第２背フレーム２５の上方部寄りに貫挿された支軸３０にバネ座３１を介して連結することにより該バネを圧縮状態とし、該バネの弾性により該第２背フレーム２５を起立させるように付勢している。また、第２背フレーム２５の上部前面に腰部支持部材３２を設け、第２背フレーム２５が起立状態であるときに該腰部支持部材３２が該第２付勢手段の弾性により前記座板支持板１６の上方部位にて前方に張り出すように構成している。
【００１２】
３５は第２背フレーム２５の上部背面を貫通するように設けられた連結軸で、前記胸郭部支持部材２０の下部両側縁より下方に延びる脚部２４に該連結軸３５の両端部を貫挿することにより該第２背フレーム２５の上部と胸郭部支持部材２０とを該連結軸３５を介して屈折可能に連結している。
【００１３】
次に第２背フレーム２５を起立状態に固定するロック機構を説明する。なお、この実施形態に示したロック機構は前記連結軸３５を操作部として兼用している。即ち、図１に示したように連結軸３５の一端に操作レバー３６を固着し、該連結軸３５の中間部にカム片３８を固着し、該カム片を第２背フレーム２５の内面に固着された板バネからなる回転規制部材３９に摺接させると共に、該連結軸３５の外周にプッシュプルワイヤ４１の芯線４６の一端を止着している。４２は第２背フレーム２５内に前記支軸２６と支軸４８とにより固着した正面T字形の構造部材、４３は該構造部材の下部に位置するように支持基盤３の後方突出部８に設けたブロック状のロック部材で、該ロック部材４３は後方突出部８の両側に形成された長孔４４に案内軸４５を遊嵌することにより進退自在に設けられている。そして前記プッシュプルワイヤ４１の芯線４６の他端を該ロック部材４３に止着している。このため操作レバー３６を操作し連結軸３５を回転させることにより芯線４６が押し引きされ、該芯線４６の他端に連結されたロック部材４３が進退動する。そして該ロック部材４３が図２に示されたように進出した状態では構造部材４２の下面に形成された突起４７に該ロック部材４３が係合することにより、第２背フレーム２５が起立状態に固定される。また、図６に示したように該ロック部材４３が後退し突起４７から離間した状態にすることにより、第２背フレーム２５は後方に傾斜し得るようになる。
このように、連結軸３５を操作部として兼用することにより、所要構成部品数が削減できると共に、操作レバー３６を外部から見易く、また操作し易い位置に設けられるので、該操作レバー３６の状態によってこの椅子の設定状態を容易に確認でき、遊技場で各椅子の設定状態を管理するうえで便利なものとなる。
【００１４】
図７はこの椅子の使用状態を示した側面図で、（ａ）は第１背フレーム１０および第２背フレーム２５が起立状態にあるときを示す。上記ロック機構を作動させることにより第２背フレーム２５をこの起立状態に固定した状態にて、使用者が背を後ろに反らすと、図７（ｂ）に示したように、胸郭部支持部材２０が肩によって後方に押され、第１背フレーム１０のみを最大で垂直起立状態から後方に約１２度後傾させる。このとき、胸郭部支持部材２０は約２４度まで後傾する。このため遊技者は腰が腰部支持部材２３により支持されたままで上半身だけを大きく反らし背伸びすることができる。なお、この椅子では、座板支持板１６が前後方向に支持されているので、図７（ｂ）の状態を図５にも示したように、第１背フレーム１０を後傾させたときに座板１５もその移動に伴い少し後方に移動するのに対して、腰部支持部材３２は移動しないので遊技者の腰に該腰部支持部材３２が圧着し、腰が該腰部支持部材によって前に押された状態となり、上記背伸びを非常に気持ちよく実行することができる。このため長時間遊技しても遊技者の感じる疲労の程度が著しく軽減される利点がある。またこの体勢は、第１背フレーム１０を約１２度程度後傾させるだけで実現できるので、遊技場に設置した場合でもその後ろ側通路に大きく出っ張ることなく通行の妨げになり難い。このため既存の遊技場にも通路幅を広げることなく設置することが可能となる。
【００１５】
また、操作レバー３６を操作しロック機構を解除した状態では、遊技者の腰が腰部支持部材３２を押してバネ２９を収縮させることで第１背フレーム１０だけでなく第２背フレーム２５も同時に後傾し、図６および図７（ｃ）に示したように、胸郭部支持部材２０が後方に移動すると同時に腰部支持部材３２が後傾し、遊技者の背を約１２度後傾させたリクライニング状態に保つことができる。従ってこの体勢においても第１背フレーム１０および第２背フレーム２５が後ろ側通路に大きく出っ張ることがない。このように、操作レバー３６を操作することにより、腰部支持部材３２が後傾し得る状態に設定したり、腰部支持部材３２が起立状態に保たれる設定とに簡単に切り替えることができる。従ってこの椅子では、操作レバー３６によってロック機構の設定を変えるだけで、簡単に上記のように遊技者の好みに状態を設定することができ、使い勝手がよい。
【００１６】
なお、この実施形態に示した椅子では、第１付勢手段および第２付勢手段としてコイル状のバネを示したが、バネに代えてガススプリングを設け、該ガススプリングの伸長状態を任意に調節することにより、胸郭部支持部材２０および腰部支持部材３２を使用者が所望の設定状態に調節できるようにすることも可能である。このため本発明の椅子は、遊技場用としてだけでなく、事務用、その他を用途としても極めて使い勝手のよいものとなる。
【００１７】
また、図示しないが、この椅子に必要に応じて肘掛を付設することもできる。またこの実施形態では、長孔２２を設けることにより第１背フレーム１０の上部前面に胸郭部支持部材２０を上下方向のスライドが許容されるように装着したが、長孔に限らずスライドレール、或いはリンクを介して連結するなど、その他の連結手段によりスライド可能に枢着することもできる。
また、第１背フレーム１０、座板１５、座板支持板１６、胸郭部支持部材２０、第２背フレーム２５、腰部支持部材３２等の構成部材は、鉄、アルミ、プラスチック等の適宜材料により成形することができる。また、座板１５、胸郭部支持部材２０、腰部支持部材３２等に適宜クッション材を配置できると共に、そのクッション材に代えて弾性プラスチック製網体を張設することによりクッション性を有するように構成してもよい。
【図面の簡単な説明】
【００１８】
【図１】本発明の実施形態を示す椅子の斜視図。
【図２】図１の椅子の要部の縦断面側面図。
【図３】図２のX−X線断面図。
【図４】本発明に係る椅子の第１背フレームと胸郭部支持部材と第２背フレームとの分解斜視図。
【図５】図２の作動状態図。
【図６】図２の作動状態図。
【図７】本発明に係る椅子の使用状態を示した側面図。
【図８】従来の椅子の背もたれ構造を示す縦断面側面図。
【符号の説明】
【００１９】
３      支持基盤
６      バネ（第１付勢手段）
８      後方突出部
１０    第１背フレーム
１６    座板支持板
１８    支軸
２０    胸郭部支持部材
２２    長孔
２５    第２背フレーム
２９    バネ（第２付勢手段）
３２    腰部支持部材
３５    連結軸
３６    操作レバー
４１    プッシュプルワイヤ
４３    ロック部材
４７    突起
【図１】
0004551918.tif 000002
【図２】
0004551918.tif 000003
【図３】
0004551918.tif 000004
【図４】
0004551918.tif 000005
【図５】
0004551918.tif 000006
【図６】
0004551918.tif 000007
【図７】
0004551918.tif 000008
【図８】
0004551918.tif 000009